(57)【特許請求の範囲】
【請求項１】
本体と、前記本体の一側に設けられ釣り竿を位置決めする竿受け部と、前記本体の他側に設けられ釣り竿を保持する竿保持部と、を備える竿掛け装置において、
前記竿保持部は、
所定の間隔をおいて立設された４本の支柱と、
前記４本の支柱のそれぞれ左右の前後の２本の支柱の上部に横接された２本の支持軸と、
前記２本の支持軸のそれぞれに回転可能に支持され、相互に内方に向けて付勢されて当接可能である２個のロックレバーと、
釣り竿を上方向に付勢する押圧部材と、
を備え、
前記２個のロックレバーと前記押圧部材とにより釣り竿を保持するものであり、
前記２個のロックレバーは、当接時に、前方向に略Ｖ字型の切れ込みを形成し、
前記押圧部材は、前記４本の支柱の前の２本の支柱の前方に設けられ、
前記２個のロックレバーと前記押圧部材とにより釣り竿を保持し、釣り竿の先端を上方に向けて回動した時、前記略Ｖ字型の切れ込みへの前記釣り竿の当接によって前記２個のロックレバーが開放して前記釣り竿の離脱が可能となる、
ことを特徴とする竿掛け装置。
【請求項２】
前記２個のロックレバーは、それぞれ上部に回動可能にローラを有し、
前記押圧部材は、前記４本の支柱の前の２本の支柱の前方及び後ろの２本の支柱の後方に設けられ、
前記竿保持部は、釣り竿を保持した状態で釣り竿先端を上方に向けて回動可能であることを特徴とする請求項１記載の竿掛け装置。
【請求項３】
前記本体は、下部に、クランプ装置を取り付けるためのクランプ装置取付手段を備える、ことを特徴とする請求項１又は２記載の竿掛け装置。
【請求項４】
前記押圧部材は、ゴムやバネなどの弾性部材で構成されることを特徴とする請求項１乃至３記載の竿掛け装置。
【請求項５】
前記２つのロックレバーは、重力により付勢されることを特徴とする請求項１乃至４記載の竿掛け装置。
【請求項６】
前記ロックレバーは、当該ロックレバーの回転を規制するストッパーを備える、ことを特徴とする請求項１乃至５記載の竿掛け装置。
【発明の詳細な説明】
【０００１】
【発明の属する技術分野】
本発明は、船釣りをするときに船べりに釣り竿を保持する竿掛け装置に関し、特に釣り竿の保持、取外しの操作がしやすく、確実に保持できる竿掛け装置に関する。
【０００２】
【従来の技術】
従来、この種の竿掛け装置は種々のものがあるが、例えば実開平６−５４７６号公報に示されるものがある。この船釣り用竿受は、図１８（ａ）に示されるように、並設したコ字状クランプ１の上部に挟ませて、支持杆２と該支持杆の下り止め部とを具備し、且つ釣り竿基部の先端側を支持する竿受け部と、係止杆３と該係止杆の上り止め部とを具備し、且つ釣り竿基部の基端側を係止する元受け部とを夫々、別体に、且つ上下に回動自在に枢着したことを特徴としている。
【０００３】
また、従来のこの種の別の装置として、特開平８−１７２９９３号公報に示されるものがある。この船釣り用竿受具は、図１８（ｂ）に示されるように、竿受本体４に対して竿５を保持する竿取付片６を竿受本体４に固定される取付けベース７の連結突部に所定角度に簡易に保持できるようにしたものである。
【０００４】
【発明が解決しようとする課題】
しかしながら、図１８（ａ）に示した従来の船釣り用竿受は、船が揺れたときや、大型の魚が掛かったとき、また、他人の釣り竿が誤ってぶつかったとき等、釣り竿が竿受から脱落しやすく、釣り竿自体が海中に落ちやすいという問題があった。
【０００５】
また、図１８（ｂ）に示した従来の船釣り用竿受具は、釣り竿５に竿取付片６を固定するため、釣り竿の重量が増すとともに突起物が付属するため操作性が悪くなり、釣り味が大きく損なわれるという問題があった。
【０００６】
本発明は、上記問題点を解決するためになされたものであり、その目的は、釣り竿の保持や取外しが容易であり、釣り竿の保持が確実で脱落する可能性が低く、釣り竿自体の操作性を損ねることがなく、釣り味を大切にできる竿掛け装置を提供することである。
【０００７】
また、必要に応じて釣り竿を上下に揺り動かして寄せ餌を撒いて釣果を上げることができる竿掛け装置を提供するである。
【０００８】
【課題を解決するための手段】
上記目的を達成するため、本発明に係る竿掛け装置は、本体と、本体の一側に設けられ釣り竿を位置決めする竿受け部と、本体の他側に設けられ釣り竿を保持する竿保持部と、を備える竿掛け装置において、竿保持部は、所定の間隔をおいて立設された４本の支柱と、４本の支柱のそれぞれ左右の前後の２本の支柱の上部に横接された２本の支持軸と、２本の支持軸のそれぞれに回転可能に支持され、相互に内方に向けて付勢されて当接可能である２個のロックレバーと、釣り竿を上方向に付勢する押圧部材と、を備え、２個のロックレバーと押圧部材とにより釣り竿を保持するものであり、前記２個のロックレバーは、当接時に、前方向に略Ｖ字型の切れ込みを形成し、前記押圧部材は、前記４本の支柱の前の２本の支柱の前方に設けられ、前記２個のロックレバーと前記押圧部材とにより釣り竿を保持し、釣り竿の先端を上方に向けて回動した時、前記略Ｖ字型の切れ込みへの前記釣り竿の当接によって前記２個のロックレバーが開放して前記釣り竿の離脱が可能となる、ことを特徴とする。
【００１０】
または、２個のロックレバーは、それぞれ上部に回動可能にローラを有し、押圧部材は、４本の支柱の前の２本の支柱の前方及び後ろの２本の支柱の後方に設けられ、竿保持部は、釣り竿を保持した状態で釣り竿先端を上方に向けて回動可能である、ようにすることもできる。
【００１１】
また、本体は、下部に、クランプ装置を取り付けるためのクランプ装置取付手段を備える、ことができ、押圧部材は、ゴムやバネなどの弾性部材で構成することができる。さらに、２つのロックレバーは、重力により付勢されるようにするとよく、ロックレバーは、当該ロックレバーの回転を規制するストッパーを備える、ことができる。
【００１２】
上述のように構成された竿掛け装置によれば、釣り竿を２個のロックレバー間に押し当て、ロックレバー間を通過させるだけで容易に保持することができ、釣り竿は押圧部材によりロックレバー方向に付勢されるため保持は確実である。また、釣り竿を外すときは、釣り竿の先端側を上方に向けて持ち上げるだけで、あるいは、手により２個のロックレバーを下方に押すだけの操作で、極めて容易に行える。
【００１３】
また、ストッパーにより２個のロックレバーの回転を規制して釣り竿を確実に保持した状態で、本体に対して竿保持部を回動させることにより、釣り竿先端を揺り動かして海中の寄せ餌入れから寄せ餌を海中に撒くことができる。
【００１４】
【発明の実施の形態】
以下、本発明の実施の形態を図面を参照して説明する。
【００１５】
図１は本発明に係る竿掛け装置の一実施形態の斜視図を示し、図２は図１の一部の正面図を示し、図３は図１の一部の上面図を示す。図１〜図３において、竿掛け装置１０は本体１１と、本体１１の下部に取り付けたクランプ装置３０と、本体１１とクランプ装置３０とを連結して固定する固定ねじ３４から構成され、本体１１は、前方側の一側に設けられ釣り竿３５を位置決めする竿受け部１５と、後方側の他側に設けられ釣り竿３５を保持する竿保持部２０と、クランプ装置３０に取り付けられ、竿受け部１５と竿保持部２０とを支持する台座部１２と、台座部１２と竿保持部２０とを回動可能に連結する回転軸１３と、台座部１２と竿受け部１５とを回動可能に連結するピン１４と、を備えている。
【００１６】
竿受け部１５は本体１１より上方に向けて２本のアーム１５ａ、１５ａを突設させた略Ｕ字状をしたものであり、釣り竿３５の先端部側が載置され、左右方向の移動を阻止して位置決めするように構成されている。竿受け部１５の内面には釣り竿３５を載置するときの緩衝と、釣り竿３５の滑り止めのためのゴム等から形成されるクッション材１６が貼着されている。本体１１は金属ダイキャスト、プラスチック材等から構成され、プラスチック材の場合は補強のため、ガラス繊維、炭素繊維等の強化プラスチックが使用されることが望ましい。
【００１７】
竿保持部２０は、本体１１の他側に底部が略Ｕ字状で一体的に突設された４本の柱部２１ａ、２１ｂ、２１ｃ、２１ｄと、この柱部２１ａ、２１ｂ、２１ｃ、２１ｄのそれぞれ左右の上部（柱部２１ａと２１ｃの上部、２１ｂと２１ｄの上部）に所定の間隔を有して平行に固定された２本の支持軸２２ａ、２２ｂと、この２本の支持軸２２ａ、２２ｂのそれぞれに回転可能に支持され、相互に内方に向けて付勢されて当接可能である２個のロックレバー２３、２４と、柱部２１ａ、２１ｂの前部に設けられた押圧部材系止部２６ａ、２６ｂと、押圧部材系止部２６ａ、２６ｂによって柱部２１ａ、２１ｂの前部下方に系止されているゴムリングなどの押圧部材２５とを備えている。
【００１８】
ここで、支持軸２２ａ、２２ｂは柱部２１ａ、２１ｃ、２１ｂ、２１ｄに圧入、ねじ止め等により固定され、ロックレバー２３、２４の回動を可能にしている。
【００１９】
ここで、押圧部材２５は、図１に示したものの他、竿保持部２０の略中央下部に中心孔を設け、この中心孔に上下動可能に支持された中心軸の上端に固定された圧縮バネとすることができる。この圧縮バネにより釣り竿３５をロックレバー２３、２４の方向に付勢することができる。また、圧縮バネの上面は、中央部が低い円弧面に形成するとよい。このように構成された押圧部材（圧縮バネ）は、中心軸に螺合する蝶ねじにより上下方向のストロークが調節できる構成にすることができる。また、押圧部材（圧縮バネ）の上面（円弧面）には、釣り竿３５が滑るのを防止するためのクッション材を貼着するようにするとよい。
【００２０】
ロックレバー２３、２４は、上面は外側が高く内側が低く、すなわち外側より内側に向けて下方に傾斜した傾斜面２３ａ、２４ａに形成され、その下面は外側が低く内側が高く、すなわち外側より内側に向けて上方に傾斜した傾斜面２３ｂ、２４ｂに形成されている。そして、押圧部材２５とロックレバー２３、２４の傾斜面２３ｂ、２４ｂとにより、釣り竿３５を中央部に安定して保持することができる。
【００２１】
ロックレバー２３、２４は、２個のロックレバー２３、２４が当接した位置から下方に向けて回動可能であり、最大開口幅は、支柱２１ａ、２１ｂ及び支柱２１ｃ、２１ｄの幅となり（即ち、ロックレバー２３の傾斜面２３ａが、支柱２１ａ、２１ｃの内側部分と略同一平面状に位置し、ロックレバー２４の傾斜面２４ａが、支柱２１ｂ、２１ｄの内側部分と略同一平面状に位置する）、この最大開口幅までの釣り竿３５が保持可能となる。そして、ロックレバー２３、２４は、２個のロックレバー２３、２４が当接した位置から上方に向けて回動不能にするストッパー２３ｃ、２４ｃが一体的に突設されている。
【００２２】
ロックレバー２３、２４の所定の位置には錘２３ｄ、２４ｄが装着されており、図２の点線の矢印にて示されるように一方のロックレバー２３には反時計回転方向の回転力が付与され、他方のロックレバー２４には時計回転方向の回転力が付与されている。したがって、ロックレバー２３、２４は相互に内方（上方）に向けて付勢され、その内側部が相互に当接可能である。また、ロックレバー２３、２４が当接している場合、ロックレバー２３、２４の前方（釣り竿３５の先端方向）に略Ｖ字型の切れ込み２７が形成される。
【００２３】
ここで、ロックレバー２３、２４の当接部や、ストッパー２３ｃ、２４ｃ及び竿保持部２０のストッパー２３ｃ、２４ｃの対応部に永久磁石を接着等により固着して、両ロックレバー２３、２４の当接時のロック力を強化し、釣り竿３５の保持を強化することができる。なお、ロックレバー２３、２４は、ストッパー２３ｃ、２４ｃにより、上方向への回転が阻止される。
【００２４】
クランプ装置３０は、コ字状のベース３１と、このベース３１の一方の水平辺３１ａに螺合され先端にクランプ片３２を回転可能に支持したクランプねじ３３とから構成され、クランプ片３２と他方の水平辺３１ｂとの間に、例えば釣り船の船べりを狭持するものである。クランプ装置３０のベース３１の中央辺には固定用の雌ねじ（図示せず）が形成され、本体１１の台座部１２を貫通して固定ねじ３４をベース３１の雌ねじ（図示せず）に螺合させることにより、本体１１とクランプ装置３０とを結合するものである。
【００２５】
ここで、台座部１２に固定ねじ３４が前後に移動可能なように取付溝を設けてもよい。固定ねじ３４を緩め、本体１１を取付溝に沿って移動させることにより、本体１１はクランプ装置３０に任意の位置で固定可能であり、釣り竿３５をより安定して保持することができる。なお、ベース３１に雄ねじを突設し、この雄ねじに螺合される蝶ナットにより、本体１１とクランプ装置３０とを結合するように構成してもよい。
【００２６】
本実施形態の構成は以上の通りであり、以下に動作について説明する。竿掛け装置１０はクランプ装置３０により釣り船の船べり（図示せず）に固定される。すなわち、クランプねじ３３をゆるめてクランプ片３２と他方の水平辺３１ｂとの間に船べりを挟み、クランプねじ３３を締めて船べりを狭持することにより竿掛け装置１０を船べりに固定する。
【００２７】
図４及び図５は、竿掛け装置１０に釣り竿３５を保持する動作状態を示す図である。図４に示されるように、釣り竿３５の前方を竿受け部１５のアーム１５ａ、１５ａ間に位置させ、釣り竿３５を竿保持部２０のロックレバー２３、２４の当接部に押圧する。竿受け部１５からの水平線と、竿受け部１５とロックレバーの押圧部とを結ぶ延長線との角度をαとすると、押圧力Ｆ１の下方向の分力Ｆ１ｙは、Ｆ１ｙ＝Ｆ１ｃｏｓαとなり、この分力Ｆ１ｙによりロックレバー２３、２４を開く方向に、すなわちロックレバー２３を時計回転方向に、ロックレバー２４を反時計回転方向に回転させる。
【００２８】
また、ロックレバー２３、２４は、上面が傾斜面２３ａ、２４ａとなっているため（図５（ａ））、釣り竿３５にて押圧するときにロックレバー２３、２４の中央部を押圧しやすいという効果がある。釣り竿３５がロックレバー２３、２４の傾斜面２３ａ、２４ａに力Ｆ１ｙで押し付けられると、ロックレバー２３、２４には、支持軸２２ａ、２２ｂを中心としたモーメントが働き、これによりロックレバー２３、２４は錘２３ｄ、２４ｄに働く重力Ｆｇに抗して相互に開き、釣り竿３５はロックレバー２３、２４間を通過する（図５（ｂ））。さらに釣り竿３５を押圧すると、押圧部材２５の上部を押し下げ、ロックレバー２３、２４は、錘２３ｄ、２４ｄに働く重力Ｆｇにより発生するモーメントにより復帰して相互に当接して閉じる（図５（ｃ））。
【００２９】
図６は、釣り竿３５の保持状態を示す図である。図６において、釣り竿３５の押圧をやめると、釣り竿３５は押圧部材２５の弾性力により上方に押圧され、釣り竿３５をロックレバー２３、２４の下面の傾斜面２３ｂ、２４ｂと押圧部材２５とにより挟んで保持する。このとき、ロックレバー２３、２４の下面の傾斜面２３ｂ、２４ｂの形状を円弧状にし、その円周の中心Ｒをロックレバー２３、２４の回転中心（支持軸２２ａ、２２ｂの中心）より内側（釣り竿３５に近い側）に設けることで、釣り竿３５がロックレバー２３、２４に作用する力Ｆ２の作用線の向きが回転中心（支持軸２２ａ、２２ｂの中心）より釣り竿３５に近い内側となる。これにより、ロックレバー２３には、反時計回転方向のモーメントが働き、ロックレバー２４には、時計回転方向のモーメントが働く。このモーメントは、ストッパー２３ｃ、２４ｃによって止められ、これにより、釣り竿３５は、竿保持部２０に確実に保持される。このように、釣り竿３５は、ロックレバー２３、２４の下面の傾斜面２３ｂ、２４ｂと、押圧部材２５とにより挟まれて保持されるため、安定して保持することができる。このように、釣り竿３５を竿受け部１５に載置してロックレバー２３、２４間に押し当てるだけで、極めて容易に保持することができる。
【００３０】
また、釣り竿３５と押圧部材２５との交点に対し、釣り竿３５とロックレバー２３、２４との交点は、釣り竿の手元側に位置している。このため、釣り竿３５の先端が仕掛けについているオモリや魚により下方に引かれると、竿受け部１５が支点として働き、釣り竿３５とロックレバー２３、２４との交点には上方への力が作用する。この力はロックレバー２３、２４の後端に作用し、その力はロックレバー２３、２４を閉じる方向に作用するので、釣り竿３５が誤って外れることがなく保持は確実に行われる。また、釣り竿３５が先端方向に引かれた場合は、釣り竿３５と押圧部材２５との摩擦力、およびロックレバー２３、２４と釣り竿３５との摩擦力により充分に対抗でき、釣り竿３５が竿掛け装置１０から外れることはない。
【００３１】
図７及び図８は、釣り竿３５を竿掛け装置１０の竿保持部２０から取り外すときの動作状態を示す図である。釣り竿３５を竿掛け装置１０から外す時は、釣り竿３５の先瑞側を上方に向けて持ち上げるだけで（図７）、あるいは指又は手の平で、竿支持部２０の左右のロックレバー２３、２４の上端部分を内側に回すだけの操作で（図８）、極めて容易に行える。
【００３２】
図７において、釣り竿３５の先端側を上方に向けて持ち上げて行く場合、釣り竿３５の後部が竿支持部２０の中央（略Ｕ字溝）の後半分にある円周状の溝４０に沿って下がり、釣り竿３５の前部が、ロックレバー２３、２４の前部に位置するＶ字型切れ込み２７に沿って上がり、釣り竿３５の前部上側がＶ字型切れ込み２７の下側の角の曲線部分に当たる（点Ｐ）。
【００３３】
この時、ロックレバー２３、２４は点Ｐに於いて、釣り竿３５の点Ｐに於ける竿の断面（円）の中心Ｏと接点Ｐを結ぶ作用線４１の方向のカＦ３を受けるが、このカＦ３の作用線４１が支持軸２２ａ、２２ｂ（又は支持軸２２ａ、２２ｂの延長線）の下側を通過するようにＶ字型切れ込み２７の位置と深さを設定する事で、点Ｐに於ける力Ｆ３は、ロックレバー２３、２４を開く方向のモーメントとして作用させることができる。
【００３４】
このことは、以下のように、幾何学的に簡単に説明が可能である。釣り竿３５を保持した状態から釣り竿３５の先端側を上方に向けて持ち上げて行てゆくと（図７（ａ））、支持軸２２ａ、２２ｂの方向から見た場合の釣り竿３５の垂直断面形状は、上下方向が短い楕円形４２に変形してゆく（図７（ｃ））。しかるに、点Ｐの位置は変わらないことから、支持軸２２ａ、２２ｂの方向から見ると、釣り竿３５の断面（円）の中心は、点Ｏから点Ｏ’へと上に移動してゆく（図７（ｃ））。
【００３５】
従って、釣り竿３５を保持した状憩では、釣り竿３５の断面（円）の中心点Ｏと点Ｐを結ぶ左右２本の作用線４１は、ロックレバー２３、２４の下側円周の中心Ｑを通り、支持軸２２ａ、２２ｂより釣り竿３５に近い側を通過していたが（図７（ｂ））、釣り竿３５が傾き中心が上方向へ移動すると共に、左右２本の作用腺４１の作る角度が大きくなり、左右の支持軸２２ａ、２２ｂを跨いで、釣り竿３５から遠い側に移動する（図７（ｃ））。この時点で、点Ｐに於ける力Ｆ３は、ロックレバー２３、２４を開ける方向のモーメントとして作用する（図７（ｃ））。
【００３６】
なお、上述でロックレバー２３、２４の下側を円周（又は、円周に近い楕円周）と設定した理由は、釣り竿３５の先端側を上方に向けて持ち上げて行く時、釣り竿３５がロックレバー２３、２４の下側の角が作る曲線部（下側が円周の場合、角部は楕円周となる）をスムーズに移動でき、しかもロックレバー２３、２４の形状を最小にする為である。
【００３７】
また、ロックレバー２３、２４の下側を平面として、Ｖ字型切れ込み２７の下側の角部を直線としても、下側の角の直線が釣り竿３５の円周から受けるカの作用線の方向が、支持軸２２ａ、２２ｂの下側になるように設定すれぱ、同じ効果を得る事ができる。または、直線によるＶ字型切れ込み２７の代わりに、楕円や放物線等の２次曲糠の一部を使っても、上述の作用線４１の方向さえ支持軸２２ａ、２２ｂの下側になるように設定すれぱ、同じ効果を得ることができる。
【００３８】
これにより、釣り竿３５はロックレバー２３、２４間を通過し、釣り竿３５を極めて容易にフリーの状態に取り外すことができる。しかも釣り竿３５には上述した従来技術のような固定部材が装着されず、釣り竿３５の操作を容易に行うことができる。
【００３９】
また、図８に示したように、釣り竿３５を竿掛け装置１０から外す時は、指又は手の平で、竿支持部２０の左右のロックレバー２３、２４の上端部分を内側に回すだけの操作で極めて容易に行うことができる。
【００４０】
これにより、図１８（ａ）に示したような従来の竿掛け装置では、一度、竿先が上がる状態にしないと釣り竿を竿掛け装置から外すことができなかったが、本発明の竿かけ装置１０では、指又は手の平で、左右のロックレバー２３、２４の上側部分を内側に挟むように回すと、竿先が上に動くことなく竿支持部２０から外れ、外れた釣り竿３５は、むしろ竿先を下げる方向に動きながら、操作を行った手中に入ってくるので、餌に食い付いた魚に違和感を与えることがない。
【００４１】
図９は、ロックレバー２３、２４の下側一部に凹状ガイドと凸状突起を設けた図である。図９において、ロックレバー２３、２４の下側一部には、凹状ガイド４２が設けられ、竿保持部２０に、凹状ガイド４２に嵌合して摺動する凸状突起４３が設けられている。これにより、釣り竿３５が通過できる幅以上にロックレバー２３、２４が回転しないようになる。
【００４２】
次に、本発明の他の実施形態について説明する。
【００４３】
図１０は他の実施形態の竿掛け装置の斜視図を示し、図１１は、その正面図を示し、図１２は、その側面図を示す。図１０〜図１２に示した竿掛け装置１００と上述した図１〜図９に示した竿掛け装置１０との相違点は、竿支持部５０のロックレバー５３、５４の形状と、後方の支柱２１ｃ、２１ｄに押上部材系止部５６ｃ、５６ｄ及び押上部材５５が設けられた点である。その他の構成部については、同様の構成となる。以下、上述した竿掛け装置１０との相違点について説明する。
【００４４】
ロックレバー５３、５４は、上面は外側が高く内側が低く、すなわち外側より内側に向けて下方に円弧状に傾斜した円周部５３ａ、５４ａに形成され、その下面は外側が低く内側が高く、すなわち外側より内側に向けて上方に傾斜した円弧状の傾斜面５３ｂ、５４ｂに形成されている。そして、押圧部材２５、５５とロックレバー５３、５４の傾斜面５３ｂ、５４ｂとにより、釣り竿３５を中央部に安定して保持することができる。
【００４５】
ロックレバー５３、５４は、２個のロックレバー５３、５４が当接した位置から下方に向けて回動可能であり、最大開口幅は、支柱２１ａ、２１ｂ及び支柱２１ｃ、２１ｄの幅となり（即ち、ロックレバー５３の当接部が、支柱２１ａ、２１ｃの内側部分と略同一平面状に位置し、ロックレバー５４の当接部が、支柱２１ｂ、２１ｄの内側部分と略同一平面状に位置する）、この最大開口幅までの釣り竿３５が保持可能となる。そして、ロックレバー５３、５４は、２個のロックレバー５３、５４が当接した位置から上方に向けて回動不能にするストッパー５３ｃ、５４ｃが一体的に突設されている。
【００４６】
ロックレバー５３、５４は、上部にローラ部５３ｄ、５４ｄが設けられ、このローラ部５３ｄ、５４ｄは、ローラ軸５３ｅ、５４ｅによって左右方向に回動可能となっている。
【００４７】
ロックレバー５３、５４は、ロックレバー５３、５４の所定の位置に重心Ｇがくるような形状となっており、図１１の点線の矢印にて示されるように一方のロックレバー５３には反時計回転方向の回転力が付与され、他方のロックレバー５４には時計回転方向の回転力が付与されている。したがって、ロックレバー５３、５４は相互に内方（上方）に向けて付勢され、その内側部が相互に当接可能である。
【００４８】
ここで、ロックレバー５３、５４の当接部や、ストッパー５３ｃ、５４ｃ及び竿保持部２０のストッパー５３ｃ、５４ｃの対応部に永久磁石を接着等により固着して、両ロックレバー５３、５４の当接時のロック力を強化し、釣り竿３５の保持を強化することができる。なお、ロックレバー５３、５４は、ストッパー５３ｃ、５４ｃにより、上方向への回転が阻止される。
【００４９】
図１３は、竿掛け装置１００に釣り竿３５を保持する動作状態を示す図である。図１３に示されるように、ロックレバー５３、５４は、上面が円周部５３ａ、５４ａとなっているため（図１３（ａ））、釣り竿３５にて押圧するときにロックレバー５３、５４の中央部を押圧しやすいという効果がある。釣り竿３５が竿保持部５０のロックレバー５３、５４の上側の円周部５３ａ、５４ａに押し付けられると、左右のロックレバー５３、５４には、支持軸２２ａ、２２ｂを中心としたモーメントが働き、重力Ｆｇに抗して相互に開き、釣り竿３５はロックレバー２３、２４間を通過する（図１３（ｂ））。さらに釣り竿３５を押圧すると、竿支持部５０の前後の支柱２１ａ、２１ｂ、２１ｃ、２１ｄに設けられた前後の押圧部材２５の上部を押し下げて、さらに下方部に入り込む。ロックレバー５３、５４は、重心Ｇに働く重力Ｆｇにより発生するモーメントにより復帰して相互に当接して閉じる（図１３（ｃ））。
【００５０】
図１４は、釣り竿３５の保持状態を示す図である。図１４において、釣り竿３５の押圧をやめると、釣り竿３５は前後の押圧部材２５の弾性力により上方に押圧され、釣り竿３５をロックレバー５３、５４の下面の傾斜面５３ｂ、５４ｂと押圧部材２５とにより挟んで保持する。このとき、ロックレバー５３、５４の下面の傾斜面５３ｂ、５４ｂの形状を円弧状にし、その円周の中心Ｒをロックレバー５３、５４の回転中心（支持軸２２ａ、２２ｂの中心）より内側（釣り竿３５に近い側）に設けることで、釣り竿３５がロックレバー５３、５４に作用する力Ｆ２の作用線の向きが回転中心（支持軸２２ａ、２２ｂの中心）より釣り竿３５に近い内側となる。これにより、ロックレバー５３には、反時計回転方向のモーメントが働き、ロックレバー５４には、時計回転方向のモーメントが働く。このモーメントは、ストッパー５３ｃ、５４ｃによって止められ、これにより、釣り竿３５は、竿保持部５０に確実に保持される。このように、釣り竿３５は、ロックレバー５３、５４の下面の傾斜面５３ｂ、５４ｂと、前後２つの押圧部材２５とにより挟まれて保持されるため、安定して保持することができる。このように、釣り竿３５を竿受け部１５に載置してロックレバー５３、５４間に押し当てるだけで、極めて容易に保持することができる。
【００５１】
竿保持部５０は、回転軸１３で台座部１２に系止され、この回転軸１３を中心として前後に回動可能になっている。このため、釣り竿３５を保持した状態の竿保持部５０は、釣り竿３５を保持したまま前後に回動して、竿掛け装置１００に釣り竿３５をセットしたままで釣り竿３５のシャクリ（釣り竿３５先端部の上下）操作が可能となる。
【００５２】
図１５は、釣り竿３５のシャクリ操作を示す図である。図１５に示したように、竿受け部５０は、船９４に取り付けられた本体１００に対して回動させることができる。すなわち、竿受け部５０に釣り竿３５を保持させた状態で釣り竿を上下させることができる。このようにして、海中に投入した寄せ餌入れ９５を揺り動かすことができ、寄せ餌９６を海中に撒くことができる。そして、寄せ餌９６に魚が集まってきて釣り果を高めることができる。また、付け餌９７を躍らせて魚を誘い、釣果を向上させることができる。
【００５３】
図１６は、釣り竿３５を竿掛け装置１００の竿保持部５０から取り外すときの動作状態を示す図である。釣り竿３５を竿掛け装置１００から外す時は、手の平で、竿支持部５０の左右のロックレバー５３、５４の上端部分を押すだけの操作で、極めて容易に行える。
【００５４】
即ち、竿支持部５０の左右のロックレバー５３、５４の上端部分を指又は手の平で押すと、ロックレバー５３、５４の上端部分に設けられているローラ部５３ｄ、５４ｄが、手の平が作る凹面の中央部分に向かって転がるように押され（図１６（ａ））、左右のロックレバー５３、５４が開く方向のモーメントが働いて、釣り竿３５が竿保持部５０から外れる（図１６（ｂ））。
【００５５】
竿保持部５０から外れた釣り竿３５は、押された状態で左右のロックレバー５３、５４の円周部５３ａ、５４ａが作る円筒状の空間に移動する。ここで、押す力を解除する（手の平を離す）と、左右のロックレバー５３、５４が開き、釣り竿３５は、完全に竿掛け装置１００から離脱する（図１６（ｂ））。
【００５６】
これにより、図１８（ｂ）に示したような従来の竿掛け装置では、竿５に竿取付片６を固定するため、操作性が悪く釣り味が大きく損なわれていたが、本発明の竿かけ装置１００では、手の平で、左右のロックレバー５３、５４の上側部分を押すと、釣り竿３５が竿支持部５０から外れ、外れた釣り竿３５には何も突起物が付属しないため、快適な釣りを楽しむことができる。
【００５７】
図１７は、ロックレバー５３、５４の下側一部に凹状ガイドと凸状突起を設けた図である。図１７において、ロックレバー５３、５４の下側一部には、凹状ガイド４２が設けられ、竿保持部５０に、凹状ガイド４２に嵌合して摺動する凸状突起４３が設けられている。これにより、釣り竿３５が通過できる幅以上にロックレバー５３、５４が回転しないようになるため、ロックレバー５３、５４が回りすぎて操作性が悪くなるのを防ぐことができる。
【００５８】
この実施形態においては、上述した実施形態と同様に釣り竿３５を極めて容易に保持できるとともに取り外しも極めて容易に行うことができ、保持は確実であるという効果のほかに釣り竿３５を必要に応じて回動させ寄せ餌９６を海中に撒くことができるという効果を奏する。
【００５９】
なお、ロックレバーを付勢する構成として、ゴム及び重力の例を示したが、バネや永久磁石を使用することができ、これらを単独に用いてもよく、任意の２つを共用してもよく、また３つを共用するように構成してもよい。
【００６０】
【発明の効果】
以上説明したように、本発明の竿掛け装置によれば、２つのロックレバー間に釣り竿を押し込むだけの容易な操作で釣り竿を保持することができ、釣り竿を取り外すときも極めて容易に行え、釣り竿の保持が確実である。
【００６１】
また、釣り竿に固定部材が固定されないため、突起物が付属せず、重量を軽くでき、釣り竿の操作性を損ねることがない。
【００６２】
また、竿保持部を本体に対して回動可能に構成すれば、釣り竿は竿保持部に確実に保持された状態で上下に揺り動かすことができ、海中の寄せ餌入れを上下動して寄せ餌を海中に撒くことができる。
【図面の簡単な説明】
【図１】本発明に係る竿掛け装置の実施形態の斜視図である。
【図２】図１の竿保持部の正面図である。
【図３】図１の竿保持部の上面図である。
【図４】釣り竿を保持するときの動作状態説明図である。
【図５】釣り竿を保持するときの動作状態説明図である。
【図６】釣り竿を保持しているときの状態説明図である。
【図７】釣り竿を取り外すときの動作状態説明図である。
【図８】釣り竿を取り外すときの動作状態説明図である。
【図９】竿保持部の他の実施形態を示す図である。
【図１０】本発明に係る竿掛け装置の実施形態の斜視図である。
【図１１】竿保持部の実施形態の正面図である。
【図１２】竿保持部の実施形態の右側面図である。
【図１３】釣り竿を保持するときの動作状態説明図である。
【図１４】釣り竿を保持しているときの状態説明図である。
【図１５】釣り竿を取り外すときの動作状態説明図である。
【図１６】釣り竿を取り外すときの動作状態説明図である。
【図１７】竿保持部の他の実施形態を示す図である。
【図１８】（ａ）は従来技術を示す概略斜視図、（ｂ）は他の従来技術を示す概略正面図である。
【符号の説明】
１  コ字状クランプ
２  支持杆
３  係止杆
５、３５  釣り竿
６  竿取付片
１０、１００  竿掛け装置
１１、１１１  本体
１２  台座部
１３  回転軸
１４  ピン
１５ 竿受け部
１５ａ、１５ｂ  アーム
１６  クッション材
２０、５０  竿保持部
２１ａ、２１ｂ、２１ｃ、２１ｄ  柱部
２２ａ、２２ｂ  支持軸
２３、２４、５３、５４  ロックレバー
２３ａ、２４ａ、２３ｂ、２４ｂ、５３ｂ、５４ｂ  傾斜面
２３ｃ、２４ｃ、５３ｃ、５４ｃ  ストッパー
２３ｄ、２４ｄ  錘
２５、５５  押圧部材
２６ａ、２６ｂ、５６ｃ、５６ｄ  押圧部材系止部
２７  Ｖ字切れ込み
３０  クランプ装置
３１  ベース
３１ａ、３１ｂ  水平辺
３２  クランプ片
３３  クランプねじ
３４  固定ねじ
４０  溝
４１  作用線
４２  凹状ガイド
４３  凸状突起
５３ａ、５４ａ  円周部
５３ｄ、５４ｄ  ローラ部
５３ｅ、５４ｅ  ローラ軸
９４  船
９５  寄せ餌入れ
９６  寄せ餌
９７  付け餌
【図１】
0003830355.tif 000002
【図２】
0003830355.tif 000003
【図３】
0003830355.tif 000004
【図４】
0003830355.tif 000005
【図５】
0003830355.tif 000006
【図６】
0003830355.tif 000007
【図７】
0003830355.tif 000008
【図８】
0003830355.tif 000009
【図９】
0003830355.tif 000010
【図１０】
0003830355.tif 000011
【図１１】
0003830355.tif 000012
【図１２】
0003830355.tif 000013
【図１３】
0003830355.tif 000014
【図１４】
0003830355.tif 000015
【図１５】
0003830355.tif 000016
【図１６】
0003830355.tif 000017
【図１７】
0003830355.tif 000018
【図１８】
0003830355.tif 000019